(57)【要約】【課題】凹部が形成されていないカードのローディング動作に伴う装置奥側方向への移動を生じさせることのないカード接続装置の提供。【解決手段】凹部２が形成された第１カード１の挿抜方向に移動可能な移動部材６と、この移動部材６に追従して移動し、第１カード１に形成された凹部２に対して係合離脱する係合部材１５とを備えるとともに、凹部が形成されていない第２カード３０が挿入された際、移動部材３０のカード挿入方向への移動を規制する規制部、すなわち突起用壁部２８、ばね受け用壁部２９を備えた。【選択図】　　　図２
2004055286.tif 000002
【特許請求の範囲】
【請求項１】
凹部が形成された第１カードの挿抜方向に移動可能な移動部材と、この移動部材に追従して移動し、上記第１カードに形成された上記凹部に対して係合離脱する係合部材とを備えるとともに、
上記凹部が形成されていない第２カードが挿入された際、上記移動部材のカード挿入方向への移動を規制する規制部を備えたことを特徴とするカード接続装置。
【請求項２】
上記請求項１記載の発明において、
上記規制部が、上記係合部材が衝合可能な壁部から成ることを特徴とするカード接続装置。
【請求項３】
上記請求項２記載の発明において、
上記カード挿抜方向とほぼ直交する方向に上記係合部材を移動可能に保持する保持手段を備えたことを特徴とするカード接続装置。
【請求項４】
上記請求項３記載の発明において、
上記係合部材を上記カード挿抜方向へ案内するとともに、上記係合部材を上記第１カードの上記凹部に係合させるガイド溝を設けたことを特徴とするカード接続装置。
【請求項５】
上記請求項４記載の発明において、
上記壁部を上記ガイド溝に設けたことを特徴とするカード接続装置。
【請求項６】
上記請求項３記載の発明において、
上記係合部材を移動可能に保持する上記保持手段が、上記移動部材に設けた軸と、上記係合部材に設けられ上記軸が挿通される長穴と、上記係合部材に設けたばね受けと、一端が上記軸に連結され他端が上記ばね受けに連結されるばねとを含むことを特徴とするカード接続装置。
【発明の詳細な説明】
【０００１】
【発明の属する技術分野】
本発明は、凹部が形成され、情報記憶機能を有するカードが収容されるカード接続装置に関する。
【０００２】
【従来の技術】
従来、情報記憶機能を有するカードとして、側縁部に凹部が形成された第１カードがある。この第１カードを収容するカード接続装置として、第１カードとともにカード挿抜方向へ移動可能な移動部材と、この移動部材に追従して移動し第１カードの凹部に対して係合離脱可能な係合部材と、移動部材を移動させるラックと、このラックを直線動させるギヤ機構と、このギヤ機構を駆動するモータとを備えたものがある。このカード接続装置は、本体を形成するシャーシ内に第１カードの接続端子と接触可能な端子部材を備えている。
【０００３】
この従来技術では、第１カードが挿入口から挿入され、これに伴って移動部材が移動したとき、ローディング開始スイッチが作動してモータが駆動する。これによりギヤ機構が回転し、ラックが直線動し、移動部材が装置奥側に向って、すなわちカード挿入方向へ向かって移動を開始する。この間、係合部材がカードの凹部に係合し、カードは係合部材に係止されて移動部材とともに装置奥側へ向って移動する。
【０００４】
ローディング完了位置に至ると、モータが停止する。これによりギヤ機構、ラック、移動部材及び係合部材が停止し、第１カードの接続端子が端子部材に接触する状態に保持される。この状態においてカードに対する信号の送受信が可能となる。
【０００５】
【発明が解決しようとする課題】
ところで従来から、上述した第１カードと外径寸法がほとんど同じであって、側縁部に凹部が形成されていない第２カードがある。この第２カードが上述の従来のカード接続装置に挿入されると、係合部材がこの第２カードに係合はしないものの、移動部材の移動、すなわちローディング動作に伴って係合部材との接触を介して第２カードが引きずられるように装置奥側に向って移動し、その第２カードが装置の内部に置き去りにされてしまうことがある。
【０００６】
このような事態を生じると、奥の方に入ってしまったカードの取り出しに手間がかかったり、場合によっては無理やり第２カードを取り出そうとして装置を損傷させてしまうことが起こり得る。また、第２カードが正しくローディング完了位置に保持されているものと勘違いさせてしまうこともある。
【０００７】
本発明は、上記した従来技術における実状からなされたもので、その目的は、凹部が形成されていないカードのローディング動作に伴う装置奥側方向への移動を生じさせることのないカード接続装置を提供することにある。
【０００８】
【課題を解決するための手段】
上記目的を達成するために、本発明は、凹部が形成された第１カードの挿抜方向に移動可能な移動部材と、この移動部材に追従して移動し、上記第１カードに形成された上記凹部に対して係合離脱する係合部材とを備えるとともに、上記凹部が形成されていない第２カードが挿入された際、上記移動部材のカード挿入方向への移動を規制する規制部を備えたことを特徴としている。
【０００９】
このように構成した本発明は、凹部が形成された第１カードが挿入されると、係合部材が第１カードの凹部に係合し、ローディング動作に伴って移動部材とともに移動する係合部材に係止されて、第１カードが装置奥側に向って引き込まれる。ローディング完了位置に至ると、この第１カードに対する信号の送受信が可能となる。
【００１０】
また、凹部が形成されていない第２カードが挿入されたときは、規制部によって移動部材のカード挿入方向への移動、すなわち装置奥側方向への移動が規制される。すなわち、第２カードの挿入に際しては、カードを移動させる移動部材が移動せず、これによりローディング動作がおこなわれない。したがって、係合部材も移動せず、ローディング動作に伴う第２カードの装置奥側方向への移動を生じさせることがない。
【００１１】
また本発明は、上記発明において、上記規制部が、上記係合部材が衝合可能な壁部から成ることを特徴としている。
【００１２】
このように構成した本発明は、第２カードが挿入されたときは、係合部材が壁部に衝合し、この係合部材の装置奥側方向への移動が阻止される。これに伴い、係合部材とともに移動する移動部材、及び第２カードの装置奥側方向への移動が阻止される。
【００１３】
また本発明は、上記発明において、上記カード挿抜方向とほぼ直交する方向に移動可能に上記係合部材を保持する保持手段を備えたことを特徴としている。
【００１４】
このように構成した本発明は、第１カードが挿入されたときは、保持手段を介して第１カードの挿抜方向とほぼ直交する方向に係合部材が移動し、この係合部材が第１カードの凹部に係合する。したがって、この係合部材に係止された第１カードを、移動部材とともに装置奥側に向って移動させることができる。
【００１５】
また、第２カードが挿入されたときは、係合部材がカードの挿入方向とほぼ直交する方向へ移動しようとしても、この係合部材が、凹部が形成されていない第２カードの側縁部に衝合し、その直交する方向への移動が阻止される。
【００１６】
また本発明は、上記発明において、上記係合部材を上記カード挿抜方向へ案内するとともに、上記係合部材を上記第１カードの上記凹部に係合させるガイド溝を設けたことを特徴としている。
【００１７】
このように構成した本発明は、第１カードが挿入されたときは、ガイド溝の形状に応じて、第１カードの挿入方向とほぼ直交する方向への係合部材の移動がおこなわれ、この係合部材が第１カードの凹部に係合する。また、この係合部材の第１カードの凹部に対する係合とともに、移動部材の移動に伴って、係合部材は第１カードを保持した状態で、ガイド溝に案内されて装置奥側に向かって移動する。
【００１８】
また本発明は、上記発明において、上記壁部を上記ガイド溝に設けたことを特徴としている。
【００１９】
このように構成した本発明は、第１カードが挿入されたときは、ガイド溝の形状に応じて係合部材が壁部に衝合することなくこのガイド溝に沿って案内され、第１カードを保持した状態で装置奥側に向って移動する。
【００２０】
また、第２カードが挿入されたときは、係合部材がガイド溝の壁部に衝合し、この係合部材のガイド溝に沿う装置奥側方向への移動が阻止される。
【００２１】
また本発明は、上記発明において、上記係合部材を移動可能に保持する上記保持手段が、上記移動部材に設けた軸と、上記係合部材に設けられ上記軸が挿通される長穴と、上記係合部材に設けたばね受けと、一端が上記軸に連結され他端が上記ばね受けに連結されるばねとを含むことを特徴としている。
【００２２】
このように構成した本発明は、第１カードが挿入されたときには、ガイド溝の形状に応じて、また、長穴を介して、ばねの力により係合部材が第１カードの挿抜方向とほぼ直交する方向へ移動し、第１カードの凹部に係合部材が係合する。
【００２３】
【発明の実施の形態】
以下、本発明に係るカード接続装置の実施形態を図に基づいて説明する。
【００２４】
図１〜１１は、本発明の一実施形態を示す説明図で、図１はローディング開始時の状態を示す平面図、図２はローディング完了時の状態を示す平面図である。図３は、この一実施形態に備えられる内部構造を示す平面図である。
【００２５】
図４は本実施形態において使用可能なカードである第１カードを示す平面図、図５は図４に示すカードと、係合部材との配置関係を示す平面図である。
【００２６】
図６は図５に示すカードと、係合部材と、移動部材との配置関係を示す平面図、図７は図６のＡ方向からみた図である。
【００２７】
図８は図６に示すカードと、係合部材と、ガイド溝形成部材との配置関係を示す平面図、図９は図８のＢ部拡大図、図１０は図８のＣ部拡大図である。
【００２８】
図１１は図６に示すカードと、係合部材と、移動部材と、図８に示すガイド溝形成部材と、カバーとの配置関係を示す平面図である。
【００２９】
図４に示すように、本実施形態で使用可能なカードである第１カード１は、側縁部に凹部２を備えている。また、図示しないが先端部の裏面側には、信号の送受信に際して活用される接続端子を備えている。
【００３０】
本実施形態は、図１に示すように、本体を形成するシャーシ３の前側位置に、すなわち同図１の左側位置に、第１カード１が挿入される挿入口４を備えている。シャーシ３の上部には、第１カード１の収容部付近を覆うカバー５を設けてある。
【００３１】
このカバー５の上側には、第１カード１の挿抜方向、すなわち同図１の左右方向に移動可能な移動部材６を設けてある。この移動部材６は、図６にも示すように、第１カード１の先端部が係合可能な突出部７を備えている。
【００３２】
また、この移動部材６は図１に示すように、移動部材６を移動させるラック８と、一端が移動部材６に連結され、他端がラック８に連結されるばね９を備えている。さらに、この移動部材６は、ラック８を直線動させるギヤ機構１０と、このギヤ機構１０を駆動するモータ１１とを備えている。
【００３３】
本実施形態の内部の奥側位置には、図３に示すように、移動部材６の係合により、モータ１１を駆動する信号を出力するローディング開始スイッチ１２を配置してある。また、移動部材６の係合により、モータ１１を停止させる信号を出力するローディング完了スイッチ１３を配置してある。同図３のほぼ中央部分には、第１カード１の接続端子が接触可能な端子部材１４を備えている。
【００３４】
また、図１，５，６等に示すように、移動部材６に追従して移動し、第１カード１に形成された凹部２に対して係合離脱する係合部材１５を備えている。この係合部材１５は、移動部材６の上側に配置してある。この係合部材１５は、移動部材６に設けられ上方に向って突出する第１軸１６が挿通される長穴１７と、この長穴１７の近傍の先端部に設けられ、上方向に折り曲げ形成された突起部１８と、後端部の近傍に設けられ、折り曲げ形成されたばね受け１９を備えている。さらに図５に示すように、第１カード１の凹部２に対して係合離脱可能な係合爪２０と、上方に向って突出する第２軸２１とを備えている。
【００３５】
また、一端が移動部材６の第１軸１６に連結され、他端が係合部材１５のばね受け１９に連結されるばね２２を設けてある。
【００３６】
上述した移動部材６の第１軸１６と、係合部材１５の長穴１７及びばね受け１９と、ばね２２とによって、カード挿抜方向、すなわち図１の左右方向とほぼ直交する方向に、係合部材１５を移動可能に保持する保持手段が構成されている。
【００３７】
図１，２及び図１１に示すように、移動部材６及び係合部材１５の上側にはガイド溝形成部材２３を設けてある。このガイド溝形成部材２３は、例えば前述したカバー５とともに、シャーシ３の一部を構成している。
【００３８】
このガイド溝形成部材２３は、図８等に示すように、係合部材１５の突起１８をカード挿抜方向へ案内する突起用ガイド溝２４と、移動部材６の第１軸１６をカード挿抜方向へ案内する第１軸用ガイド溝２５とを含んでいる。さらに、このガイド溝形成部材２３は、係合部材１５の第２軸２１をカード挿抜方向へ案内する第２軸用ガイド溝２６と、係合部材１５のばね受け１９をカード挿抜方向へ案内するばね受け用ガイド溝２７とを含んでいる。
【００３９】
これらのガイド溝２４〜２７は、係合部材１５をカード挿抜方向へ案内するとともに、係合部材１５を第１カード１の凹部２に係合させ得る空間部を有している。
【００４０】
そして特に本実施形態は、図１，２，８，９，１０等に示すように、前述したガイド溝形成部材２３の突起用ガイド溝２４に、係合部材１５の突起１８が衝合な突起用壁部２８を設けてある。同様に、ばね受け用ガイド溝２７に、係合部材１５のばね受け１９が衝合可能なばね受け用壁部２９を設けてある。これらの突起用壁部２８及びばね受け用壁部２９は、後述する凹部が形成されていないカードである第２カード３０が挿入口４から挿入された際、移動部材６のカード挿入方向への移動を規制する規制部を構成している。
【００４１】
図１２は、本実施形態において使用不能である上述の第２カード３０を示す平面図、図１３は図１２に示す第２カード３０と、係合部材１５の配置関係を示す平面図である。
【００４２】
図１２に示すように、第２カード３０は、前述した第１カード１とほぼ同等の外径寸法を有するものの、側縁部３１に係合部材１５の係合爪２０が係合可能な凹部を備えていない。
【００４３】
このように構成した本実施形態の動作について、以下に説明する。
【００４４】
［第１カード１のローディング動作］
側縁部に凹部２が形成された第１カード１が挿入口４から挿入され、押し込まれると、この第１カード１の先端部が移動部材６の突出部７に当接する。これにより、移動部材６がばね９の力に抗して移動する。この移動部材６が図３に示すローディング開始スイッチ１２に係合すると、このローディング開始スイッチ１２が作動する。このローディング開始スイッチ１２から出力される信号によりモータ１１が駆動し、図１に示すようにローディングが開始される。
【００４５】
すなわち、モータ１１の駆動によりギヤ機構１０が回転し、このギヤ機構１０の回転によりラック８が装置奥側に向って直線動し、ばね９を介して移動部材６が装置奥側に向って自動的に移動する。
【００４６】
また、この移動部材６に設けた第１軸１６が係合部材１５の長穴１７の縁部に係合することにより、係合部材１５も移動部材６とともに装置奥側に向って移動する。すなわち、同図１に示す突起１８、第１軸１６、第２軸２１、ばね受け１９のそれぞれが、突起用ガイド溝２４、第１軸用ガイド溝２５、第２軸用ガイド溝２６、ばね受け用ガイド溝２７の形状に応じて、装置奥側に向って移動する。
【００４７】
なお、このようなローディング動作の開始に際して、同図１に示すばね２２の力により、移動部材６の第１軸１６が係合部材１５の長穴１７内を相対的に移動し、係合部材１５は、カード挿入方向とほぼ直交する方向であって、同図１の上方向に向って移動する。これにより、係合部材１５の係合爪２０が第１カード１の凹部２に係合する。したがって、ローディング動作中にあっては、移動部材６の移動とともに、係合部材１５によって係止された第１カード１が装置奥側に向って自動的に移動する。
【００４８】
移動部材６が図３に示すローディング完了スイッチ１３に係合すると、モータ１１が停止する。これにより、ギヤ機構１０が停止し、ラック８が停止し、ばね９を介して移動部材６が停止する。また、移動部材６とともに移動する係合部材１５及び第１カード１が停止する。これにより第１カード１は図２に示すように、所定のローディング完了位置に保持される。この状態にあっては、第１カード１の図示しない裏面側の接続端子が、図３に示す端子部材１４に接触保持される。したがって、第１カード１に対する信号の送受信が可能となる。
【００４９】
［第１カード１の排出動作］
所定のイジェクト操作により、モータ１１が反転駆動すると、ギヤ機構１０も反転し、ラック８が挿入口４方向へ、すなわち排出方向へ移動する。ばね９を介して移動部材６が排出方向へ移動し、この移動部材６とともに係合部材１５及び第１カード１が排出方向へ移動する。
【００５０】
所定の排出位置近傍まで移動部材６が移動した際、移動部材６とローディング開始スイッチ１２との係合が解かれ、これにより、モータ１１が停止し、ギヤ機構１０が停止し、ラック８が停止し、ばね９を介して移動部材６が停止する。また、移動部材６とともに移動する係合部材１５及び第１カード１の移動が停止する。これにより、第１カード１は所定の排出位置に至る。
【００５１】
なおこの間、前述の突起１８、第１軸１６、第２軸２１、ばね受け１９のそれぞれが、ガイド溝２４〜２７の形状に応じて排出方向へ移動する。また、これとともにガイド溝２４〜２７の形状に応じてばね２２の力に抗して、移動部材６の第１軸１６が係合部材１５の長穴１７内を相対的に移動する。これに伴って、係合部材１５は排出方向とほぼ直交する方向であって、図１の下方向に向って移動する。これにより、係合部材１５の係合爪２０が第１カード１の凹部２から離脱する。
【００５２】
したがって、上述のように第１カード１が排出位置に至ったとき、第１カード１の挿入口４からの取り出しが可能となる。
【００５３】
［第２カード１の挿入動作］
前述したように、図１２は本実施形態において使用不能な第２カード３０を示す平面図、図１３は図１２に示す第２カード３０と係合部材１５との配置関係を示す平面図である。また、図１４は図１２に示すカード３０と、係合部材１５と、ガイド溝形成部材２３との配置関係を示す平面図、図１５は図１４のＤ部拡大図、図１６は図１４のＥ部拡大図である。
【００５４】
図１２に示すように、側縁部３１に凹部が形成されていない第２カード３０が挿入口４から挿入され、押し込まれると、この第２カード３０の先端部が移動部材６の突起部７に当接する。これにより、移動部材６が装置奥側に向ってわずかに動き、これとともに係合部材１５が装置奥側に向って移動しようとする。
【００５５】
このとき、第２カード３０の側縁部３１に凹部が形成されていないので、図１３，１４に示すように、その係合爪２０が第２カード３０の側縁部３１に係合する。したがって、図１３，１４の上方向へ向っての係合部材１５の移動、すなわちカード挿抜方向とほぼ直交する方向への係合部材１５の移動は阻止される。
【００５６】
これにより、上述のように移動部材６の動きとともに係合部材１５が装置奥側に向って移動しようとしたとき、図１４，１５に示すように、係合部材１５の突起１８が突起用ガイド溝２４の突起用壁部２８に衝合する。また、図１４，１６に示すように、係合部材１５のばね受け１９がばね受け用ガイド溝２７のばね受け用壁部２９に衝合する。これらの衝合により係合部材１５の装置奥側に向う動きが規制される。また、移動部材６の第１軸１６が、係合部材１５の長穴１７の縁部に係合することから、この移動部材６の装置奥側に向う動きも規制される。
【００５７】
したがって、移動部材６はローディング開始スイッチ１２に係合しない状態に保持され、ローディング動作は実施されない。このとき、第２カード３０は、その先端部が、移動不能となっている移動部材６の突出部７に衝合する。これらによって第２カード３０は、押し込もうとしても装置奥側方向への移動が阻止される。
【００５８】
このように構成した本実施形態にあっては、凹部が形成されていない第２カード３０が挿入されても、上述のように装置奥側方向への移動が阻止され、モータ１１が駆動されず、ローディング動作が実施されない。したがって、この第２カード３０が移動部材６の移動に伴って装置の内部に置き去りにされてしまう事態を生じることがない。
【００５９】
これにより、装置の奥の方に入ってしまった第２カード３０の取り出しに手間取る事態を生じることがない。また、装置の奥の方に入ってしまった第２カード３０を無理やり取り出そうとして、装置を損傷させてしまう虞もない。さらに、第２カード３０のローディング動作が実施されないことから、第２カード３０がローディング完了位置に保持されていると勘違いさせてしまう懸念もない。
【００６０】
なお、本実施形態は、図４に示した使用可能な第１カード１、すなわち、側縁部に凹部２が形成されている第１カード１の誤挿入に対しても有効である。例えば第１カード１が、前後を逆にして挿入口４から挿入されてしまった場合、あるいは表裏を逆にして挿入されてしまった場合にも有効である。すなわち、このような場合には、第２カード３０の挿入時と同様に、係合部材１５の係合爪２０が、凹部２が形成されていない第１カード１の部分に当接する。したがって、このような場合には、第１カード１の装置奥側方向への移動は阻止され、誤挿入であることを直ちに気付かせることができる。
【００６１】
【発明の効果】
以上のように本発明は、凹部が形成されていない第２カードが挿入された際、移動部材のカード挿入方向への移動を規制する規制部を備えた構成にしてあることから、ローディング動作が実施されることがない。したがって本発明は、この凹部が形成されていない第２カードのローディング動作に伴う装置奥側方向への移動を生じさせることがない。
【００６２】
これにより、従来のような第２カードが装置の奥に置き去りにされてしまう事態を防止できる。また、挿入されてしまった第２カードを容易に取り出すことができる。また、装置の奥の方に入ってしまった第２カードを無理やり取り出そうとして、装置を損傷させてしまう懸念もない。また、第２カードがローディング完了位置に保持されていると勘違いさせてしまう懸念もない。
【００６３】
さらに本発明は、凹部が形成されていて使用可能な第１カードが、前後あるいは表裏を逆にして誤挿入されたときには、誤挿入されていることを直ちに気付かせることができる。
【図面の簡単な説明】
【図１】本発明のカード接続装置の一実施形態におけるローディング開始時の状態を示す平面図である。
【図２】本発明の一実施形態におけるローディング完了時の状態を示す平面図である。
【図３】本発明の一実施形態に備えられる内部構造を示す平面図である。
【図４】本発明の一実施形態において使用可能なカードを示す平面図である。
【図５】図４に示すカードと、係合部材との配置関係を示す平面図である。
【図６】図５に示すカードと、係合部材と、移動部材との配置関係を示す平面図である。
【図７】図６のＡ方向から見た図である。
【図８】図６に示すカードと、係合部材と、ガイド溝形成部材との配置関係を示す平面図である。
【図９】図８のＢ部拡大図である。
【図１０】図８のＣ部拡大図である。
【図１１】図６に示すカードと、係合部材と、移動部材と、図８に示すガイド溝形成部材と、カバーとの配置関係を示す平面図である。
【図１２】本発明の一実施形態において使用不能なカードを示す平面図である。
【図１３】図１２に示すカードと、係合部材との配置関係を示す平面図である。
【図１４】図１２に示すカードと、係合部材と、ガイド溝形成部材との配置関係を示す平面図である。
【図１５】図１４のＤ部拡大図である。
【図１６】図１４のＥ部拡大図である。
【符号の説明】
１　　第１カード
２　　凹部
６　　移動部材
１５　係合部材
１６　第１軸（保持手段）
１７　長穴（保持手段）
１８　突起
１９　ばね受け（保持手段）
２０　係合爪
２１　第２軸
２２　ばね（保持手段）
２３　ガイド溝形成部材
２４　突起用ガイド溝
２５　第１軸用ガイド溝
２６　第２軸用ガイド溝
２７　ばね受け用ガイド溝
２８　突起用壁部（規制部）
２９　ばね受け用壁部（規制部）
３０　第２カード
３１　側縁部
【図１】
2004055286.tif 000003
【図２】
2004055286.tif 000004
【図３】
2004055286.tif 000005
【図４】
2004055286.tif 000006
【図５】
2004055286.tif 000007
【図６】
2004055286.tif 000008
【図７】
2004055286.tif 000009
【図８】
2004055286.tif 000010
【図９】
2004055286.tif 000011
【図１０】
2004055286.tif 000012
【図１１】
2004055286.tif 000013
【図１２】
2004055286.tif 000014
【図１３】
2004055286.tif 000015
【図１４】
2004055286.tif 000016
【図１５】
2004055286.tif 000017
【図１６】
2004055286.tif 000018